(57)【要約】  基地局装置は、第１の送信部、復号部、再送制御部、及び第２の送信部を備える。第１の送信部は、複数のビット列ブロックを含む伝送ブロックを端末に送信する。復号部は、端末から受信する、複数のビット列ブロックがそれぞれ端末により正しく受信されたか否かを表す確認信号を復号する。再送制御部は、復号部により復号された確認信号に基づいて、複数のビット列ブロックのなかで端末により正しく受信されなかったビット列ブロックを検出すると共に、端末の受信処理を制御する制御信号を生成する。第２の送信部は、制御信号を端末に送信する。第１の送信部は、再送制御部により検出されたビット列ブロックを端末へ再送する。
2018229948.tif 000002
【特許請求の範囲】
【請求項１】
複数のビット列ブロックを含む伝送ブロックを端末に送信する第１の送信部と、
前記端末から受信する、前記複数のビット列ブロックがそれぞれ前記端末により正しく受信されたか否かを表す確認信号を復号する復号部と、
前記復号部により復号された確認信号に基づいて、前記複数のビット列ブロックのなかで前記端末により正しく受信されなかったビット列ブロックを検出すると共に、前記端末の受信処理を制御する制御信号を生成する再送制御部と、
前記制御信号を前記端末に送信する第２の送信部と、を備え、
前記第１の送信部は、前記再送制御部により検出されたビット列ブロックを前記端末へ再送する
ことを特徴とする基地局装置。
【請求項２】
前記制御情報は、前記復号部により復号された確認信号を表す
ことを特徴とする請求項１に記載の基地局装置。
【請求項３】
前記端末は、前記複数のビット列ブロックを格納するバッファを備え、
前記制御情報は、前記復号部により復号された確認信号を表す情報、及び、前記端末が前記基地局装置から再送されるビット列ブロックを受信する際に前記端末のバッファに格納されているビット列ブロックを使用するか否かを表す情報を含む
ことを特徴とする請求項１に記載の基地局装置。
【請求項４】
前記制御情報は、前記復号部により復号された確認信号の各ビットの論理を反転させることにより生成される
ことを特徴とする請求項１に記載の基地局装置。
【請求項５】
前記制御信号は、前記基地局装置から前記端末に信号を送信するダウンリンクを制御するダウンリンク制御信号の中に挿入されて前記基地局装置から前記端末に送信される
ことを特徴とする請求項１に記載の基地局装置。
【請求項６】
前記ダウンリンク制御信号は、変調方式を表す変調方式情報を含み、
前記第１の送信部が前記伝送ブロックを前記端末に送信するときは、前記ダウンリンク制御信号は、第１の長さの変調方式情報を含み、
前記第１の送信部が１または複数のビット列ブロックを前記端末に再送するときは、前記ダウンリンク制御信号は、前記制御信号および前記第１の長さよりも短い第２の長さの変調方式情報を含む
ことを特徴とする請求項５に記載の基地局装置。
【請求項７】
前記ダウンリンク制御信号は、前記基地局装置と前記端末との間で行われるハイブリッド自動再送要求手順のリダンダンシ・バージョン情報を含み、
前記第１の送信部が前記伝送ブロックを前記端末に送信するときは、前記ダウンリンク制御信号は、前記リダンダンシ・バージョン情報を含み、
前記第１の送信部が１または複数のビット列ブロックを前記端末に再送するときは、前記ダウンリンク制御信号は、前記リダンダンシ・バージョン情報を含むことなく前記制御信号を含む
ことを特徴とする請求項５に記載の基地局装置。
【請求項８】
前記復号部は、前記端末から受信する、前記確認信号および前記伝送ブロックが前記端末により正しく受信されたか否かを表す第２の確認信号を復号し、
前記復号部により復号された確認信号と前記復号部により復号された第２の確認信号とが整合していないときに、前記第１の送信部は、前記伝送ブロックを前記端末に再送する
ことを特徴とする請求項１に記載の基地局装置。
【請求項９】
前記伝送ブロックに格納されるビット列ブロックの個数よりも、前記伝送ブロックを利用して伝送されるデータユニットの個数が少ないときには、１個のビット列ブロックの中に１個のデータユニットが格納される
ことを特徴とする請求項１に記載の基地局装置。
【請求項１０】
複数のビット列ブロックを含む伝送ブロックを基地局から受信する受信部と、
前記受信部が前記複数のビット列ブロックをそれぞれ正しく受信したか否かを表す確認信号を生成する再送制御部と、
前記確認信号を前記基地局に送信する送信部と、を備え、
前記再送制御部は、前記再送制御部が生成した確認信号および前記基地局において復号された確認信号に基づいて、前記基地局における確認信号の復号誤りを検出し、
前記確認信号の復号誤りが検出されたときは、前記送信部は、前記再送制御部により生成された確認信号を前記基地局に送信する
ことを特徴とする端末装置。
【請求項１１】
前記受信部が、前記基地局から再送されたビット列ブロックを受信したときは、前記再送制御部は、前記複数のビット列ブロックをそれぞれ正しく受信したか否かを表す確認信号を新たに生成し、前記送信部は、前記再送制御部により新たに生成された確認信号を前記基地局に送信する
ことを特徴とする請求項１０に記載の端末装置。
【請求項１２】
前記受信部が受信した複数のビット列ブロックを格納するバッファをさらに備え、
前記受信部は、前記基地局から再送されたビット列ブロックを受信したときに、前記基地局から与えられる指示に応じて、前記バッファに格納されているビット列ブロックおよび前記再送されたビット列ブロックからデータを再生する処理、または、前記バッファに格納されているビット列ブロックを使用することなく前記再送されたビット列ブロックからデータを再生する処理を実行する
ことを特徴とする請求項１０に記載の端末装置。
【請求項１３】
前記送信部は、前記確認信号の各ビットにそれぞれ誤り検出符号または誤り訂正符号を付加して前記基地局に送信する
ことを特徴とする請求項１０に記載の端末装置。
【請求項１４】
前記再送制御部は、前記確認信号および前記受信部が前記伝送ブロックを正しく受信したか否かを表す第２の確認信号を生成し、
前記送信部は、前記確認信号および前記第２の確認信号を前記基地局に送信する
ことを特徴とする請求項１０に記載の端末装置。
【請求項１５】
前記伝送ブロックに格納されるビット列ブロックの個数よりも、前記伝送ブロックを利用して伝送されるデータユニットの個数が少ないときには、前記再送制御部は、前記データユニットが割り当てられた各ビット列ブロックがそれぞれ前記受信部により正しく受信されたか否かを表す確認信号を生成する
ことを特徴とする請求項１０に記載の端末装置。
【請求項１６】
前記伝送ブロックに格納されるビット列ブロックの個数よりも、前記伝送ブロックを利用して伝送されるデータユニットの個数が少ないときには、前記再送制御部は、前記データユニットが割り当てられた各ビット列ブロックがそれぞれ前記受信部により正しく受信されたか否かを表すビットおよび前記データユニットが割り当てられていない各ビット列ブロックに対応するパディングビットを含む確認信号を生成する
ことを特徴とする請求項１０に記載の端末装置。
【請求項１７】
複数のビット列ブロックを含む伝送ブロックを基地局から端末装置に送信する無線通信システムであって、
前記端末装置は、前記端末装置が前記複数のビット列ブロックをそれぞれ正しく受信したか否かを表す確認信号を生成して前記基地局に送信し、
前記基地局は、前記端末装置から送信される確認信号を復号し、
前記基地局は、前記基地局により復号された確認信号に基づいて、複数のビット列ブロックのなかで前記端末装置により正しく受信されなかったビット列ブロックを検出し、
前記基地局は、前記基地局により復号された確認信号に基づいて前記端末装置の受信処理を制御する制御信号を生成して前記端末装置に送信し、
前記基地局は、前記基地局により検出されたビット列ブロックを前記端末装置に再送し、
前記端末装置は、前記端末装置が生成した確認信号および前記基地局から送信される制御信号に基づいて、前記基地局における確認信号の復号誤りを検出し、
前記端末装置により復号誤りが検出されたときは、前記端末装置は、前記端末装置により生成された確認信号を前記基地局に送信する
ことを特徴とする無線通信システム。
【請求項１８】
複数のビット列ブロックを含む伝送ブロックを端末に送信する基地局において使用される通信方法であって、
前記端末から受信する、前記複数のビット列ブロックがそれぞれ前記端末により正しく受信されたか否かを表す確認信号を復号し、
復号された確認信号に基づいて、前記複数のビット列ブロックのなかで前記端末により正しく受信されなかったビット列ブロックを検出し、
復号された確認信号に基づいて、前記端末の受信処理を制御する制御信号を生成し、
前記制御信号を前記端末に送信し、
前記復号された確認信号に基づいて検出されたビット列ブロックを前記端末へ再送する
ことを特徴とする通信方法。
【請求項１９】
複数のビット列ブロックを含む伝送ブロックを基地局から受信する端末装置において使用される通信方法であって、
前記複数のビット列ブロックをそれぞれ正しく受信したか否かを表す確認信号を生成して前記基地局に送信し、
前記確認信号および前記基地局において復号された確認信号に基づいて、前記基地局における確認信号の復号誤りを検出し、
前記復号誤りが検出されたときに、前記確認信号を前記基地局に送信する
ことを特徴とする通信方法。
【発明の詳細な説明】
【技術分野】
【０００１】
本発明は、基地局装置、端末装置、無線通信システム、および通信方法に係わる。
【背景技術】
【０００２】
現在のネットワークは、モバイル端末（スマートフォン、フューチャーフォン等）のトラフィックがネットワークのリソースの大半を占めている。また、モバイル端末が使うトラフィックは、今後も増加していく傾向にある。【０００３】
一方、ＩｏＴ（Internet of things）サービス（例えば、交通システム、スマートメータ、装置等の監視システム）の展開にあわせて、多様な要求条件を持つサービスに対応することが求められている。このため、次世代（例えば、５Ｇ（第５世代移動体通信））の通信規格では、４Ｇ（第４世代移動体通信）の標準技術（例えば、非特許文献１〜１１）に加えて、さらなる高データレート化、大容量化、低遅延化を実現する技術が求められている。なお、次世代通信規格については、３ＧＰＰの作業部会（例えば、TSG-RAN WG1、TSG-RAN WG2等）で検討されている。（非特許文献１２〜１８）【０００４】
更に、多種多様なサービスに対応するために、５Ｇでは、ｅＭＢＢ（Enhanced Mobile Broadband）、ｍＭＴＣ（massive Machine Type Communications)、ＵＲＬＬＣ（Ultra−Reliable and Low Latency Communication）等に分類される多くのユースケースのサポートを想定している。【０００５】
ＬＴＥ（第４世代通信方式）等では、効率的なデータ伝送を実現するためにハイブリッド自動再送要求（ＨＡＲＱ：Hybrid automatic repeat request）の技術が採用されている。ＨＡＲＱでは、受信装置は、例えば、ＬＴＥ等のレイヤ１プロトコルの処理において正しく復号できなかったデータについての再送を、送信側の装置に要求する。送信側の装置は、データ再送が要求されると、受信装置において正しく復号されなかったデータに対応する再送データを送信する。そして、受信装置は、正しく復号できなかったデータと再送データとを組み合わせてデータを復号する。これにより、高効率かつ高精度な再送制御が実現される。なお、受信装置は、データを正しく復号できたときには、送信側の装置にＡＣＫ情報を送信し、データを正しく復号できなかったときには、送信側の装置にＮＡＣＫ情報を送信する。【０００６】
ところで、現在のＬＴＥの無線通信システムにおいては、たとえば、１４シンボルのＴＴＩ（Transmission Time Interval）に対して、ＡＣＫ／ＮＡＣＫを表す１ビットのフィードバック情報が通知される。また、３ＧＰＰの会合において、ＡＣＫ／ＮＡＣＫを表すフィードバック情報を符号ブロックグループ（ＣＢＧ：Code Block Group）毎に通知する方式が同意されている（非特許文献１３）。この場合、各符号ブロックグループに対するフィードバック情報は１ビットである。また、符号ブロックグループを構成するシンボルの数は、例えば、１４シンボル以下である。
【先行技術文献】
【特許文献】
【０００７】
【特許文献１】特開２０１２−１６５３９１号公報
【特許文献２】ＷＯ２０１６／１７５０２９号公報
【非特許文献】
【０００８】
【非特許文献１】3GPP TS 36.211 V14.2.0 (2017-03)
【非特許文献２】3GPP TS 36.212 V14.2.0 (2017-03)
【非特許文献３】3GPP TS 36.213 V14.2.0 (2017-03)
【非特許文献４】3GPP TS 36.300 V14.2.0 (2017-03)
【非特許文献５】3GPP TS 36.321 V14.2.0 (2017-03)
【非特許文献６】3GPP TS 36.322 V14.0.0 (2017-03)
【非特許文献７】3GPP TS 36.323 V14.2.0 (2017-03)
【非特許文献８】3GPP TS 36.331 V14.2.0 (2017-03)
【非特許文献９】3GPP TS 36.413 V14.2.0 (2017-03)
【非特許文献１０】3GPP TS 36.423 V14.2.0 (2017-03)
【非特許文献１１】3GPP TS 36.425 V14.0.0 (2017-03)
【非特許文献１２】3GPP TR 38.801 V14.0.0 (2017-03)
【非特許文献１３】3GPP TR 38.802 V14.0.0 (2017-03)
【非特許文献１４】3GPP TR 38.803 V14.0.0 (2017-03)
【非特許文献１５】3GPP TR 38.804 V14.0.0 (2017-03)
【非特許文献１６】3GPP TR 38.900 V14.2.0 (2016-12)
【非特許文献１７】3GPP TR 38.912 V14.0.0 (2017-03)
【非特許文献１８】3GPP TR 38.913 V14.0.0 (2017-03)
【発明の概要】
【発明が解決しようとする課題】
【０００９】
ＡＣＫ／ＮＡＣＫを表すフィードバック情報を符号ブロックグループ（ＣＢＧ）毎に通知する方式では、現在の方式と同じまたはそれ以上のビット数を使用すると考えられる。このため、ＡＣＫ／ＮＡＣＫを表すフィードバック情報の復号において、復号誤りの影響を受ける可能性が高くなる。したがって、ＡＣＫ／ＮＡＣＫを表すフィードバック情報の復号におおいて復号誤りの影響を低減する方法が要求される。【００１０】
本発明の１つの側面に係わる目的は、ＡＣＫ／ＮＡＣＫを表すフィードバック情報の復号誤りの影響を低減することが可能な基地局装置、端末装置、無線通信システム、および通信方法を提供することである。
【課題を解決するための手段】
【００１１】
本発明の１つの態様の基地局装置は、複数のビット列ブロックを含む伝送ブロックを端末に送信する第１の送信部と、前記端末から受信する、前記複数のビット列ブロックがそれぞれ前記端末により正しく受信されたか否かを表す確認信号を復号する復号部と、前記復号部により復号された確認信号に基づいて、前記複数のビット列ブロックのなかで前記端末により正しく受信されなかったビット列ブロックを検出すると共に、前記端末の受信処理を制御する制御信号を生成する再送制御部と、前記制御信号を前記端末に送信する第２の送信部と、を備える。前記第１の送信部は、前記再送制御部により検出されたビット列ブロックを前記端末へ再送する。
【発明の効果】
【００１２】
上述の態様によれば、ＡＣＫ／ＮＡＣＫを表すフィードバック情報の復号誤りの影響を低減できる。
【図面の簡単な説明】
【００１３】
【図１】ＨＡＲＱの一例を示す図である。
【図２】無線通信システムで伝送されるフレームの一例を示す図である。
【図３】符号ブロックグループの送信および再送の一例を示す図である。
【図４】ダウンリンク制御情報の一例を示す図である。
【図５Ａ】ＣＢＧ指標（ＣＢＧ−Ｉ）の一例を示す図である。
【図５Ｂ】ＣＢＧ指標（ＣＢＧ−Ｉ）の他の例を示す図である。
【図６】基地局の機能の一例を示すブロック図である。
【図７】端末装置の機能の一例を示すブロック図である。
【図８】端末装置の処理の一例を示すフローチャートである。
【図９】ＨＡＲＱのシーケンスの一例を示す図である。
【図１０】ＨＡＲＱのシーケンスの他の例を示す図である。
【図１１】ダウンリンク制御情報の構成例を示す図である。
【図１２】バッファ情報を使用するＨＡＲＱの一例を示す図である。
【図１３】フィードバック信号の復号誤りを検出するための制御信号の他の例を示す図である。
【図１４】第２の実施形態のＨＡＲＱの一例を示す図である。
【図１５】第３の実施形態のＨＡＲＱの一例を示す図である。
【図１６】第４の実施形態のＨＡＲＱの一例を示す図である。
【発明を実施するための形態】
【００１４】
本発明の実施形態に係る無線通信システムは、基地局（ｅＮＢ：enhanced node B）１および端末装置（ＵＥ：user equipment）２を含む。ただし、基地局１は、ｅＮＢに限定されるものではない。また、基地局１および端末装置２は、ハイブリッド自動再送要求（ＨＡＲＱ：Hybrid Automatic repeat request）を実行することができる。
【００１５】
図１は、ハイブリッド自動再送要求の一例を示す。この例では、基地局１から端末装置２へ伝送されるデータは、トランスポートブロックＴＢに格納されている。トランスポートブロックＴＢは、複数の符号ブロックグループＣＢＧを格納する。図１に示す例では、トランスポートブロックＴＢは、４個の符号ブロックグループＣＢＧ＃１〜ＣＢＧ＃４を格納する。さらに、各符号ブロックグループＣＢＧは、１または複数の符号ブロックＣＢを格納する。図１に示す例では、各符号ブロックグループＣＢＧは、４個の符号ブロックＣＢを格納する。
【００１６】
なお、トランスポートブロックＴＢは、「伝送ブロック」の一例である。各符号ブロックグループＣＢＧは、「ビット列ブロック」の一例である。各符号ブロックは、「データユニット」の一例である。
【００１７】
各符号ブロックＣＢには、ＣＲＣ（cyclic redundancy check）が付加される。ＣＲＣは、誤り検出符号の一例である。よって、端末装置２は、各符号ブロックＣＢについて誤りの有無を検出できる。そして、端末装置２は、符号ブロックグループＣＢＧ毎に、データを正しく受信できたか否かを判定する。
【００１８】
端末装置２は、データを正しく受信できたか否かを表す確認信号を生成する。確認信号は、各符号ブロックグループＣＢＧについてＡＣＫまたはＮＡＣＫを表す。ＡＣＫは、符号ブロックグループＣＢＧが正しく受信されたことを表し、ＮＡＣＫは、符号ブロックグループＣＢＧが正しく受信されなかったことを表す。よって、各符号ブロックグループＣＢＧの受信結果（ＡＣＫ／ＮＡＣＫ）は、１ビットで表される。そして、端末装置２は、この確認信号を基地局１に送信する。すなわち、各符号ブロックグループＣＢＧについての受信状態が端末装置２から基地局１にフィードバックされる。以下の記載では、この確認信号をフィードバック信号（または、ＡＣＫ／ＮＡＣＫ信号）と呼ぶことがある。
【００１９】
図１に示す例では、符号ブロックグループＣＢＧ＃２において誤りが検出される。したがって、端末装置２は、フィードバック信号「Ａ、Ｎ、Ａ、Ａ」を基地局１に送信する。「Ａ」はＡＣＫを表し、「Ｎ」はＮＡＣＫを表す。
【００２０】
基地局１は、このフィードバック信号を受信すると、端末装置２が符号ブロックグループＣＢＧ＃２を正しく受信できなかったことを認識する。そうすると、基地局１は、符号ブロックグループＣＢＧ＃２を端末装置２に再送する。そして、端末装置２は、再送された符号ブロックグループＣＢＧ＃２を利用して、符号ブロックグループＣＢＧ＃２に格納されているデータを再生する。
【００２１】
トランスポートブロックＴＢまたは符号ブロックグループＣＢＧは、この実施例では、図２に示すフレームを利用して伝送される。フレームの長さは１０ミリ秒である。また、フレームは、１０個のサブフレームから構成される。すなわち、サブフレームの長さは１ミリ秒である。
【００２２】
サブフレームは、この実施例では、１４個のＯＦＤＭシンボルから構成される。また、サブフレームは、２個のスロットから構成される。すなわち、各スロットは、７個のＯＦＤＭシンボルを含む。サブフレームは、周波数の異なる複数のサブキャリアを使用して信号を伝送できる。サブキャリアは、例えば、15kHz間隔で配置される。
【００２３】
図３は、符号ブロックグループＣＢＧの送信および再送の一例を示す。この例では、１つのトランスポートブロックＴＢは、１つのスロットにより伝送される。トランスポートブロックＴＢは、４個の符号ブロックグループＣＢＧ＃１〜ＣＢＧ＃４を格納する。各スロットの先頭には、制御情報を伝送するための制御チャネルが配置される。
【００２４】
スロットＮによりトランスポートブロックＴＢ＃Ａが基地局１から端末装置２に伝送される。ここで、端末装置２は符号ブロックグループＣＢＧ＃２、ＣＢＧ＃３を正しく受信できなかったものとする。この場合、端末装置２は、フィードバック信号「Ａ、Ｎ、Ｎ、Ａ」を基地局１に送信する。
【００２５】
基地局１は、フィードバック信号に基づいて再送処理を実行する。ただし、基地局１において、フィードバック信号の復号誤りが発生することがある。図３に示す例では、フィードバック信号の２番目のビットにおいて復号誤りが発生している。この場合、符号ブロックグループＣＢＧ＃２が端末装置２により正しく受信されなかったにもかかわらず、基地局１は、符号ブロックグループＣＢＧ＃２が端末装置２により正しく受信されたと認識する。そうすると、基地局１は、符号ブロックグループＣＢＧ＃３のみを端末装置２に再送する。すなわち、符号ブロックグループＣＢＧ＃２は再送されない。なお、符号ブロックグループＣＢＧ＃３は、例えば、スロットＮ＋ｋの特定のサブチャネルを利用して端末装置２に再送される。
【００２６】
この場合、端末装置２は、ＨＡＲＱが実装されるＭＡＣレイヤよりも上位のレイヤ（例えば、ＲＬＣレイヤ）を利用して、基地局１に対して符号ブロックグループＣＢＧ＃２の再送を要求する。したがって、ＨＡＲＱによる再送と比較して、トランスポートブロックＴＢを受信するために要する時間が長くなってしまう。この問題は、特に、トランスポートブロックＴＢのサイズが大きいときに重要である。
【００２７】
また、ＬＴＥにおいては、サブフレーム毎にＡＣＫ／ＮＡＣＫビットが送信される。これに対して図１に示す例では、符号ブロックグループＣＢＧ毎にＡＣＫ／ＮＡＣＫビットが送信される。このため、フィードバック信号の復号誤りが発生する確率が高くなる。したがって、符号ブロックグループＣＢＧ毎にＡＣＫ／ＮＡＣＫビットが送信される無線通信システムは、復号誤りの影響を抑制する機能を有することが好ましい。
【００２８】
＜第１の実施形態＞
上述の問題に対処するために、基地局１から端末装置２に対してＣＢＧ指標（ＣＢＧ−Ｉ：code block group indicator）が送信される。ＣＢＧ指標は、ダウンリンク制御情報（ＤＣＩ：downlink control information）の中に挿入されて基地局１から端末装置２に送信される。ダウンリンク制御情報は、基地局１から端末装置２へ信号を伝送するダウンリンクを制御する。よって、ダウンリンク制御情報は、図４に示すように、ＭＣＳ情報およびリダンダンシ・バージョン（ＲＶ）情報などを含む。ＭＣＳ情報は、変調方式および符号方式等を指定する。なお、ダウンリンク制御情報ＤＣＩは、図３に示す例では、各スロットの制御チャネル領域に配置される。
【００２９】
図５Ａは、ＣＢＧ指標（ＣＢＧ−Ｉ）の一例を示す。ＣＢＧ−Ｉは、基地局１において復号されたフィードバック信号を表す。よって、ＣＢＧ−Ｉの各ビットは、端末装置２において対応する符号ブロックグループＣＢＧが正しく受信されたか否かを表す。例えば、ＣＢＧ−Ｉの第１ビットは、端末装置２において符号ブロックグループＣＢＧ＃１が正しく受信されたか否かを表し、ＣＢＧ−Ｉの第２ビットは、端末装置２において符号ブロックグループＣＢＧ＃２が正しく受信されたか否かを表す。ただし、上述したように、基地局１においてフィードバック信号を受信したときに、復号誤りが発生することがある。そして、復号誤りが発生したビットにおいては、ＣＢＧ−Ｉの値は、端末装置２から送信されたフィードバック信号の対応する値とは異なることになる。
【００３０】
ＣＢＧ−Ｉ（すなわち、基地局１において復号されたフィードバック信号）が「００００」であるときは、基地局１は、すべての符号ブロックグループＣＢＧ＃１〜ＣＢＧ＃４が端末装置２において正しく受信されたと判定する。この場合、基地局１は、符号ブロックグループＣＢＧを再送することなく、新たなトランスポートブロックＴＢを端末装置２に送信する。
【００３１】
ＣＢＧ−Ｉが「０００１」〜「１１１０」であるときは、基地局１は、「１」が設定されているビットに対応する符号ブロックグループＣＢＧ（すなわち、ＣＢＧ−Ｉにより指定された符号ブロックグループＣＢＧ）が端末装置２において正しく受信されなかったと判定する。この場合、基地局１は、ＣＢＧ−Ｉにより指定される符号ブロックグループＣＢＧを端末装置２に再送する。例えば、ＣＢＧ−Ｉが「０００１」であるときは、基地局１は、符号ブロックグループＣＢＧ＃４を端末装置２に再送する。あるいは、ＣＢＧ−Ｉが「１１１０」であるときは、基地局１は、符号ブロックグループＣＢＧ＃１、ＣＢＧ＃２、ＣＢＧ＃３を端末装置２に再送する。
【００３２】
ＣＢＧ−Ｉが「１１１１」であるときは、基地局１は、すべての符号ブロックグループＣＢＧ＃１〜ＣＢＧ＃４が端末装置２において正しく受信されなかったと判定する。この場合、基地局１は、トランスポートブロックＴＢを端末装置２に再送する。  端末装置２は、基地局１から受信するＣＢＧ−Ｉに基づいて、基地局１においてフィードバック信号が正しく復号されたか否かを判定する。すなわち、端末装置２は、基地局１から受信するＣＢＧ−Ｉに基づいて、基地局１におけるフィードバック信号の復号誤りの有無を判定する。このとき、端末装置２は、基地局１に送信したフィードバック信号と基地局１から受信したＣＢＧ−Ｉとを比較する。そして、すべてのビットにおいてフィードバック信号とＣＢＧ−Ｉとが互いに一致していれば、端末装置２は、復号誤りは無いと判定する。一方、フィードバック信号とＣＢＧ−Ｉとの間で互いに一致しないビットがあるときは、端末装置２は、基地局１において復号誤りが発生したと判定する。
【００３３】
図５Ｂは、ＣＢＧ指標（ＣＢＧ−Ｉ）の他の例を示す。図５Ｂは、ＣＢＧ−Ｉを表すビット数がＣＢＧのグループ数よりも少ない場合における一例である。なお、図５Ａに示す例と同様にＣＢＧ−Ｉの各ビットは、端末装置２において対応する符号ブロックグループＣＢＧが正しく受信されたか否かを表す。但し、ＣＢＧ−Ｉのビット数とＣＢＧのグループ数が異なる。そこで、例えば、再送の発生する組合せの確率等を考慮してＣＢＧ−Ｉで再送を表現する。
【００３４】
ＣＢＧ−Ｉが「０００」であるときは、基地局１は、すべての符号ブロックグループＣＢＧ＃１〜ＣＢＧ＃４が端末装置２において正しく受信されたと判定する。この場合、基地局１は、符号ブロックグループＣＢＧを再送することなく、新たなトランスポートブロックＴＢを端末装置２に送信する。
【００３５】
ＣＢＧ−Ｉが「００１」〜「１１０」であるときは、基地局１は、符号ブロックグループＣＢＧ（即ち、ＣＢＧ−Ｉにより指定された符号ブロックグループＣＢＧ）が端末装置２において正しく受信されなかったと判定する。この場合、基地局１は、ＣＢＧ−Ｉにより指定される符号ブロックグループＣＢＧを端末装置２に再送する。例えば、ＣＢＧ−Ｉが「００１」であるときは、基地局１は、符号ブロックグループＣＢＧ＃１を端末装置２に再送する。ＣＢＧ−Ｉが「０１０」であるときは、基地局１は、符号ブロックグループＣＢＧ＃２を端末装置２に再送する。ＣＢＧ−Ｉが「０１１」であるときは、基地局１は、符号ブロックグループＣＢＧ＃３を端末装置２に再送する。ＣＢＧ−Ｉが「１００」であるときは、基地局１は、符号ブロックグループＣＢＧ＃４を端末装置２に再送する。ＣＢＧ−Ｉが「１０１」であるときは、基地局１は、符号ブロックグループＣＢＧ＃１、ＣＢＧ＃２、ＣＢＧ＃３を端末装置２に再送する。ＣＢＧ−Ｉが「１１０」であるときは、基地局１は、符号ブロックグループＣＢＧ＃２、ＣＢＧ＃３、ＣＢＧ＃４を端末装置２に再送する。
【００３６】
ＣＢＧ−Ｉが「１１１」であるときは、基地局１は、すべての符号ブロックグループＣＢＧ＃１〜ＣＢＧ＃４が端末装置２において正しく受信されなかったと判定する。この場合、基地局１は、トランスポートブロックＴＢを端末装置２に再送する。
【００３７】
なお、上述のケースに該当しないときは、上記組合せの中で該当する組合せを含むＣＢＧ−Ｉを送信する。例えば、端末装置２は、符号ブロックグループＣＢＧ＃１、ＣＢＧ＃２について再送をするようにＣＢＧ−Ｉで指定する場合、ＣＢＧ−Ｉを「１０１」として送信する。この場合、基地局１は、符号ブロックグループＣＢＧ＃１、ＣＢＧ＃２、ＣＢＧ＃３を端末装置２に再送する。
【００３８】
図５Ｂに示すビット表現は、一例であり、ＣＢＧ−Ｉのビット数、符号ブロックグループＣＢＧのグループ数等を考慮してＣＢＧ−Ｉのビット表現を変更しても良い。また、ＣＢＧ−Ｉのビット表現については、再送が発生する確率の高い組合せを考慮することが好ましい。
【００３９】
図６は、基地局１の機能の一例を示すブロック図である。基地局１は、データ信号生成部１１、バッファ１２、制御信号生成部１３、ＩＦＦＴ回路１４、ＣＰ付加部１５、ＲＦ送信部１６、ＲＦ受信部１７、ＣＰ除去部１８、ＦＦＴ回路１９、データ信号復調器２０、制御信号復調器２１、スケジューラ２２、ＨＡＲＱコントローラ２３を備える。
【００４０】
データ信号生成部１１は、端末装置２に送信するデータ信号を生成する。このとき、データ信号生成部１１は、スケジューラ２２により生成されるスケジュール情報に従ってデータ信号を生成する。なお、データ信号生成部１１により生成されるデータ信号は、一時的にバッファ１２に格納される。また、データ信号生成部１１は、ＨＡＲＱコントローラ２３からの指示に応じてバッファ１２に格納されているデータ信号を端末装置２に再送できる。制御信号生成部１３は、端末装置２に送信する制御信号を生成する。このとき、制御信号生成部１３は、スケジューラ２２により生成されるスケジュール情報に従って制御信号を生成する。ダウンリンク制御情報ＤＣＩは、制御信号生成部１３により生成される。
【００４１】
ＩＦＦＴ回路１４は、ＩＦＦＴ演算により、データ信号生成部１１により生成されるデータ信号および制御信号生成部１３により生成される制御信号から時間領域信号を生成する。ＣＰ付加部１５は、ＩＦＦＴ回路１４から出力される時間領域信号にサイクリックプレフィックス（ＣＰ：Cyclic Prefix）を付加する。サイクリックプレフィックスは、マルチパスフェージングを抑制するためにＯＦＤＭ信号に挿入される。ＲＦ送信部１６は、サイクリックプレフィックスが付加された時間領域信号からＲＦ変調信号を生成し、アンテナを介してそのＲＦ変調信号を出力する。なお、ＲＦ送信部１６は、送信信号をＲＦ帯にアップコンバートする周波数コンバータを備えていてもよい。
【００４２】
ＲＦ受信部１７は、端末装置２から送信される無線信号を受信する。尚、ＲＦ受信部１７は、ＲＦ帯の受信信号をダウンコンバートする周波数コンバータを備えていてもよい。ＣＰ除去部１８は、受信信号からサイクリックプレフィックスを除去する。ＦＦＴ回路１９は、ＦＦＴ演算により、サイクリックプレフィックスが除去された受信信号を周波数領域信号に変換する。すなわち、受信信号はサブキャリア毎に分離される。
【００４３】
データ信号復調器２０は、受信信号に含まれているデータ信号を復調および復号する。すなわち、端末装置２から送信されるデータが再生される。制御信号復調器２１は、受信信号に含まれている制御信号を復調および復号する。すなわち、端末装置２から送信される制御情報が再生される。端末装置２から送信されるフィードバック信号（ＡＣＫ／ＮＡＣＫビット）は、制御信号復調器２１により再生される。
【００４４】
スケジューラ２２は、端末装置２から受信する制御情報に基づいて、基地局１と端末装置２との間の通信のために用意されている所定の無線リソースの割当てを決定する。無線リソースは、図２に示すように、周波数リソースおよび時間リソースを含む。すなわち、スケジューラ２２は、送信信号（データ信号および制御信号）に対してサブキャリアおよびシンボルを割り当てることができる。そして、スケジューラ２２は、無線リソースの割当てを表すスケジュール情報を生成する。
【００４５】
ＨＡＲＱコントローラ２３は、制御信号復調器２１により再生されたフィードバック信号に基づいて再送制御を行う。すなわち、端末装置２において正しく受信されたかった符号ブロックグループＣＢＧが検出されたときは、ＨＡＲＱコントローラ２３は、その符号ブロックグループＣＢＧを再送する指示をデータ信号生成部１１に与える。また、ＨＡＲＱコントローラ２３は、制御信号復調器２１により再生されたフィードバック信号に基づいて、上述したＣＢＧ−Ｉを生成する。なお、ＣＢＧ−Ｉは、制御信号生成部１３によりダウンリンク制御情報ＤＣＩに挿入され、端末装置２に送信される。
【００４６】
データ信号生成部１１、制御信号生成部１３、ＩＦＦＴ回路１４、ＦＦＴ回路１９、データ信号復調器２０、制御信号復調器２１、スケジューラ２２、ＨＡＲＱコントローラ２３の一部または全部は、例えば、プロセッサエレメントおよびメモリを含むプロセッサシステムにより実現される。あるいは、データ信号生成部１１、制御信号生成部１３、ＩＦＦＴ回路１４、ＦＦＴ回路１９、データ信号復調器２０、制御信号復調器２１、スケジューラ２２、ＨＡＲＱコントローラ２３の一部または全部は、デジタル信号処理回路で実現してもよい。
【００４７】
図７は、端末装置２の機能の一例を示すブロック図である。端末装置２は、ＲＦ受信部３１、ＣＰ除去部３２、ＦＦＴ回路３３、データ信号復調器３４、バッファ３５、誤り検出部３６、制御信号復調器３７、スケジューラ３８、データ信号生成部３９、ＨＡＲＱコントローラ４０、ＣＲＣ付加部４１、制御信号生成部４２、ＩＦＦＴ回路４３、ＣＰ付加部４４、ＲＦ送信部４５を備える。
【００４８】
ＲＦ受信部３１は、基地局１から送信される無線信号を受信する。なお、ＲＦ受信部３１は、ＲＦ帯の受信信号をダウンコンバートする周波数コンバータを備えていてもよい。ＣＰ除去部３２は、受信信号からサイクリックプレフィックスを除去する。ＦＦＴ回路３３は、ＦＦＴ演算により、サイクリックプレフィックスが除去された受信信号を周波数領域信号に変換する。すなわち、受信信号はサブキャリア毎に分離される。
【００４９】
データ信号復調器３４は、受信信号に含まれているデータ信号を復調および復号する。すなわち、基地局１から送信されるデータが再生される。バッファ３５は、受信信号に含まれているデータ信号を一時的に格納する。なお、データ信号復調器３４は、バッファ３５に格納されているデータ信号および基地局１から再送されたデータ信号からデータを再生してもよい。この場合、例えば、軟合成（soft combining）が実行される。誤り検出部３６は、ＣＲＣを利用して、データ信号復調器３４により再生されたデータの誤りを検出する。このとき、誤り検出部３６は、例えば、符号ブロックＣＢ毎に誤りを検出する。
【００５０】
制御信号復調器３７は、受信信号に含まれている制御信号を復調および復号する。すなわち、基地局１から送信される制御情報が再生される。基地局１から送信されるダウンリンク制御情報ＤＣＩは、制御信号復調器３７により再生される。ダウンリンク制御情報ＤＣＩがＣＢＧ−Ｉを含むときは、ＣＢＧ−Ｉも制御信号復調器３７により再生される。
【００５１】
スケジューラ３８は、基地局１から受信する制御情報に基づいて、基地局１と端末装置２との間の通信のために用意されている所定の無線リソースの割当てを決定する。そして、スケジューラ３８は、無線リソースの割当てを表すスケジュール情報を生成する。
【００５２】
データ信号生成部３９は、基地局１に送信するデータ信号を生成する。このとき、データ信号生成部３９は、スケジューラ３８により生成されるスケジュール情報に従ってデータ信号を生成する。
【００５３】
ＨＡＲＱコントローラ４０は、誤り検出部３６による検出結果に基づいてフィードバック信号を生成する。フィードバック信号は、上述したように、各符号ブロックグループＣＢＧのデータがそれぞれ端末装置２により正しく受信されたか否かを表す。また、ＨＡＲＱコントローラ４０は、生成したフィードバック信号と基地局１から受信するＣＢＧ−Ｉとを比較することにより、フィードバック信号が基地局１において正しく復号されたか否かを判定する。すなわち、ＨＡＲＱコントローラ４０は、基地局１におけるフィードバック信号の復号誤りを検出できる。なお、基地局１におけるフィードバック信号の復号誤りが検出されたときは、端末装置２は、基地局１に正しいフィードバック信号を送信してもよい。ＣＲＣ付加部４１は、必要に応じて、フィードバック信号にＣＲＣを付加する。
【００５４】
制御信号生成部４２は、基地局１に送信する制御信号を生成する。このとき、制御信号生成部４２は、スケジューラ３８によって生成されるスケジュール情報に従って制御信号を生成する。
【００５５】
ＩＦＦＴ回路４３は、ＩＦＦＴ演算により、データ信号生成部３９により生成されるデータ信号および制御信号生成部４２により生成される制御信号から時間領域信号を生成する。ＣＰ付加部４４は、ＩＦＦＴ回路４３から出力される時間領域信号にサイクリックプレフィックスを付加する。ＲＦ送信部４５は、サイクリックプレフィックスが付加された時間領域信号からＲＦ変調信号を生成し、アンテナを介してそのＲＦ変調信号を出力する。なお、ＲＦ送信部４５は、送信信号をＲＦ帯にアップコンバートする周波数コンバータを備えていてもよい。
【００５６】
ＦＦＴ回路３３、データ信号復調器３４、誤り検出部３６、制御信号復調器３７、スケジューラ３８、データ信号生成部３９、ＨＡＲＱコントローラ４０、ＣＲＣ付加部４１、制御信号生成部４２、ＩＦＦＴ回路４３の一部または全部は、例えば、プロセッサエレメントおよびメモリを含むプロセッサシステムにより実現される。或いは、ＦＦＴ回路３３、データ信号復調器３４、誤り検出部３６、制御信号復調器３７、スケジューラ３８、データ信号生成部３９、ＨＡＲＱコントローラ４０、ＣＲＣ付加部４１、制御信号生成部４２、ＩＦＦＴ回路４３の一部または全部は、デジタル信号処理回路で実現してもよい。
【００５７】
図８は、端末装置２の処理の一例を示すフローチャートである。なお、このフローチャートは、ダウンリンクのハイブリッド自動再送要求に係わる処理を示している。
【００５８】
Ｓ１において、端末装置２は、基地局１からトランスポートブロックＴＢを受信する。トランスポートブロックＴＢは、複数の符号ブロックグループＣＢＧを格納している。Ｓ２において、誤り検出部３６は、各符号ブロックグループＣＢＧの誤りを検出する。すなわち、誤り検出部３６は、各符号ブロックグループＣＢＧを正しく受信したか否かを判定する。
【００５９】
Ｓ３において、ＨＡＲＱコントローラ４０は、誤り検出部３６による検出結果に基づいてフィードバック信号を生成する。この例では、各符号ブロックグループＣＢＧに対して１ビットが割り当てられる。このとき、誤りが検出された符号ブロックグループＣＢＧに対応するビットは「１（ＮＡＣＫ）」に設定され、誤りが検出されなかった符号ブロックグループＣＢＧに対応するビットは「０（ＡＣＫ）」に設定される。そして、端末装置２は、生成したフィードバック信号を基地局１に送信する。
【００６０】
基地局１は、フィードバック信号を受信すると、対応するＣＢＧ−Ｉを生成して端末装置２に送信する。よって、端末装置２は、Ｓ４において、Ｓ３で送信したフィードバック信号に対応するＣＢＧ−Ｉを受信する。ＣＢＧ−Ｉは、この例では、基地局１においてフィードバック信号を復号することにより生成される。したがって、復号誤りが無い場合には、フィードバック信号およびＣＢＧ−Ｉは、互いに同じである。なお、基地局１は、必要に応じて、１または複数の符号ブロックグループＣＢＧを端末装置２に再送する。したがって、基地局１が符号ブロックグループＣＢＧを再送したときは、端末装置２は、Ｓ４において、ＣＢＧ−Ｉおよび再送された符号ブロックグループＣＢＧを受信する。
【００６１】
Ｓ５〜Ｓ７において、ＨＡＲＱコントローラ４０は、フィードバック信号とＣＢＧ−Ｉとを比較する。ここで、フィードバック信号の各ビットがすべて「ゼロ」である状態は、Ｓ２において誤りが検出されなかった状態を表す。この場合、端末装置２は、再送データを必要としない。また、フィードバック信号およびＣＢＧ−Ｉが互いに一致する状態は、基地局１においてフィードバック信号の復号誤りが発生しなかった状態を表す。したがって、フィードバック信号およびＣＢＧ−Ｉの各ビットがすべて「ゼロ」であるときは（Ｓ５：Ｙｅｓ）、再送制御は実行されず、端末装置２の処理はＳ１に戻る。
【００６２】
フィードバック信号の各ビットがすべて「ゼロ」であり、且つ、ＣＢＧ−Ｉが「１」を含むときは（Ｓ６：Ｙｅｓ）、ＨＡＲＱコントローラ４０は、基地局１においてフィードバック信号の復号誤りが発生したと判定する。この場合、ＨＡＲＱコントローラ４０は、Ｓ８において、先に送信したフィードバック信号を、再度、基地局１に送信する。但し、このケースでは、フィードバック信号の各ビットがすべて「ゼロ」なので、端末装置２は再送データを必要としない。よって、端末装置２は、基地局１から再送データを受信しても、その再送データを無視する。この後、端末装置２の処理はＳ４に戻る。
【００６３】
ＣＢＧ−Ｉの各ビットがすべて「ゼロ」であり、且つ、フィードバック信号が「１」を含むときは（Ｓ７：Ｙｅｓ）、ＨＡＲＱコントローラ４０は、基地局１においてフィードバック信号の復号誤りが発生したと判定する。この場合においても、ＨＡＲＱコントローラ４０は、Ｓ８において、先に送信したフィードバック信号を、再度、基地局１に送信する。ただし、このケースでは、フィードバック信号が「１」を含むので、端末装置２は、再送データを必要とする。したがって、「１」を含むフィードバック信号を、再度、基地局１に送信することにより、端末装置２は、基地局１に対して必要なデータの再送を依頼することができる。この後、端末装置２の処理はＳ４に戻る。
【００６４】
フィードバック信号が「１」を含み、且つ、ＣＢＧ−Ｉも「１」を含むときは（Ｓ７：Ｎｏ）、端末装置２は再送データを必要とし、また、基地局１は符号ブロックグループを再送する。よって、端末装置２は、Ｓ９において、再送データの受信処理を行う。このとき、端末装置２は、バッファ３５に格納されているデータ信号および基地局１から再送されたデータ信号からデータを再生してもよい。あるいは、端末装置２は、バッファ３５に格納されているデータ信号を使用することなく、基地局１から再送されたデータ信号からデータを再生してもよい。
【００６５】
図９〜図１０は、ハイブリッド自動再送要求のシーケンスの例を示す。なお、この例では、トランスポートブロックＴＢは、４個の符号ブロックグループＣＢＧ＃１〜ＣＢＧ＃４を格納する。
【００６６】
図９に示すケースでは、基地局（ｅＮＢ）１から端末装置（ＵＥ）２にダウンリンク制御情報ＤＣＩおよびトランスポートブロックＴＢ＃Ａが送信される。そうすると、端末装置２は、ダウンリンク制御情報ＤＣＩを利用してトランスポートブロックＴＢ＃Ａを受信する。ここで、符号ブロックグループＣＢＧ＃１、ＣＢＧ＃４は正しく受信されたが、符号ブロックグループＣＢＧ＃２、ＣＢＧ＃３は正しく受信されなかったものとする。この場合、端末装置２は、フィードバック信号「０１１０」を基地局１に送信する。
【００６７】
基地局１は、端末装置２から受信するフィードバック信号を復号する。この例では、フィードバック信号は正しく復号されるものとする。この場合、基地局１は、端末装置２において符号ブロックグループＣＢＧ＃２、ＣＢＧ＃３が正しく受信されなかったことを認識する。そうすると、基地局１は、ＣＢＧ−Ｉ「０１１０」を生成して端末装置２に送信する。なお、ＣＢＧ−Ｉは、ダウンリンク制御情報ＤＣＩの中に設定される。また、基地局１は、符号ブロックグループＣＢＧ＃２、ＣＢＧ＃３を端末装置２に再送する。
【００６８】
端末装置２は、基地局１により再送された符号ブロックグループＣＢＧ＃２、ＣＢＧ＃３を受信する。ここで、符号ブロックグループＣＢＧ＃２、ＣＢＧ＃３は正しく受信されたものとする。この場合、端末装置２は、フィードバック信号「００００」を基地局１に送信する。
【００６９】
基地局１は、端末装置２から受信するフィードバック信号を復号する。この結果、基地局１は、符号ブロックグループＣＢＧ＃１〜ＣＢＧ＃４がすべて端末装置２により正しく受信されたことを認識する。そうすると、基地局１は、ＣＢＧ−Ｉ「００００」を生成して端末装置２に送信する。このとき、基地局１は、次のトランスポートブロックＴＢを端末装置２に送信してもよい。
【００７０】
このように、端末装置２は、フィードバック信号を用いて基地局１に対して必要なデータの再送を依頼することができる。なお、ＣＢＧ−Ｉが「１」を含むときには、基地局１は、対応するデータを端末装置２に再送する。一方、ＣＢＧ−Ｉの各ビットがすべて「ゼロ」であるときには、基地局１は、再送を行うことなく、端末装置２に新たなデータを送信する。すなわち、ＣＢＧ−Ｉは、新たなデータを送信するか否かを表す指標として使用することも可能である。すなわち、ＣＢＧ−Ｉは、トランスポートブロックＴＢに対するＮＤＩ（New Data Indicator）として使用することも可能である。
【００７１】
図９に示すケースと同様に、図１０に示すケースにおいても、端末装置２から基地局１にフィードバック信号「０１１０」が送信される。ただし、基地局１においてフィードバック信号の復号誤りが発生する。この例では、フィードバック信号の第３ビットにおいて復号誤りが発生し、復号されたフィードバック信号が「０１００」である。この場合、基地局１は、端末装置２において符号ブロックグループＣＢＧ＃２のみが正しく受信されなかったと認識する。そうすると、基地局１は、ＣＢＧ−Ｉ「０１００」を生成して端末装置２に送信する。また、基地局１は、符号ブロックグループＣＢＧ＃２のみを端末装置２に再送する。
【００７２】
端末装置２は、先に基地局１に送信したフィードバック信号と基地局１から受信したＣＢＧ−Ｉとを比較する。この例では、フィードバック信号とＣＢＧ−Ｉとが互いに異なっているので、端末装置２は、基地局１においてフィードバック信号の復号誤りが発生したことを認識する。また、端末装置２は、基地局１により再送された符号ブロックグループＣＢＧ＃２を受信する。ここで、符号ブロックグループＣＢＧ＃２は正しく受信されたものとする。従って、端末装置２は、毎回再送時、全ての符号ブロックグループＣＢＧに対応するＨＡＲＱフィードバックを送信する必要がある。
【００７３】
そうすると、端末装置２は、新たなフィードバック信号を生成する。この例では、符号ブロックグループＣＢＧ＃２が正しく受信されたので、フィードバック信号の第２ビットに「ゼロ（ＡＣＫ）」が与えられる。一方、符号ブロックグループＣＢＧ＃３は再送されなかったので、端末装置２は、基地局１に符号ブロックグループＣＢＧ＃３を要求する必要がある。したがって、フィードバック信号の第３ビットに「１（ＮＡＣＫ）」が与えられる。
【００７４】
基地局１は、このフィードバック信号を受信すると、符号ブロックグループＣＢＧ＃３を端末装置２に再送する。この結果、端末装置２は、すべての符号ブロックグループＣＢＧ＃１〜ＣＢＧ＃４からデータを再生することができる。
【００７５】
図１１は、ダウンリンク制御情報ＤＣＩの構成例を示す。この例では、ダウンリンク制御情報ＤＣＩは、フラグビットを含む。フラグビットは、トランスポートブロックＴＢの送信または符号ブロックグループＣＢＧの再送を識別する。
【００７６】
トランスポートブロックＴＢが送信されるときは、ダウンリンク制御情報ＤＣＩは、ＭＣＳ情報、ＲＶ情報、ＮＤＩ情報、ＨＡＲＱ情報などを含む。ＭＣＳ情報は、ＴＢＳ（トランスポートブロックＴＢのサイズ）および変調方式などを表す。ＲＶ情報は、ＨＡＲＱのリダンダンシ・バージョンを表す。ＮＤＩ情報は、スロット内に格納されているデータが新たなデータか否かを表す。
【００７７】
符号ブロックグループＣＢＧが再送されるときは、ＴＢＳは、先に送信されたトランスポートブロックＴＢのサイズと同じである。また、トランスポートブロックＴＢの初期送信および符号ブロックグループＣＢＧの再送において、同じ変調方式でデータを送信することができる。したがって、符号ブロックグループＣＢＧが再送されるときは、トランスポートブロックＴＢが送信されるときと比較して、ＭＣＳ情報のビット数を削減できる。
【００７８】
また、トランスポートブロックＴＢの初期送信および符号ブロックグループＣＢＧの再送において、同じリダンダンシ・バージョンを使用することができる。したがって、符号ブロックグループＣＢＧが再送されるときは、ＲＶ情報を削除してもよい。
【００７９】
さらに、上述したように、ＣＢＧ−Ｉは、スロット内のデータが新しいデータか否かを表すことができる。すなわち、ＣＢＧ−Ｉの各ビットがすべて「ゼロ」である状態は、新しいデータの初期送信を表す。したがって、符号ブロックグループＣＢＧが再送されるときは、ＮＤＩ情報を削除してもよい。
【００８０】
このように、符号ブロックグループＣＢＧが再送されるときは、トランスポートブロックＴＢが送信されるときと比較して、幾つかの情報領域のビット数を削減することができる。そして、ＣＢＧ−Ｉは、このようにして削減されるビットを利用して伝送される。したがって、ダウンリンク制御情報ＤＣＩのビット数を増やすことなく、ＣＢＧ−Ｉを送信することができる。換言すれば、トランスポートブロックＴＢが送信されるときと、符号ブロックグループＣＢＧが再送されるときとの間で、ダウンリンク制御情報ＤＣＩのビット数（ダウンリンク制御情報ＤＣＩの長さ）を同じにできる。
【００８１】
なお、端末装置２は、再送された符号ブロックグループＣＢＧを受信したときに、アプリケーションまたは使用ケースに応じて、バッファ３５に格納されているデータ信号を使用することがある。例えば、トランスポートブロックＴＢがｅＭＢＢデータのみを伝送するときは、バッファ３５に格納されているデータ信号と再送されたデータ信号とを軟合成することによりデータを再生する方法が好ましい。或いは、スロット内にｅＭＢＢデータおよびＵＲＬＬＣデータが多重化されているときは、バッファ３５に格納されているデータ信号を使用することなく再送されたデータ信号からデータを再生する方法が好ましい。したがって、基地局１は、ＣＢＧ−Ｉに加えて、バッファ３５に格納されているデータ信号を使用するか否かを指定するバッファ情報を端末装置２に送信してもよい。
【００８２】
図１２は、バッファ情報を使用するハイブリッド自動再送要求の一例を示す。この方法によれば、基地局１は、端末装置２がバッファ３５に格納されているデータ信号を使用してデータを再生するか否かを指示できる。例えば、ＣＢＧ−Ｉが「０００１」であり、バッファ情報が「０」であるときは、基地局１は、符号ブロックグループＣＢＧ＃４を再送する。また、端末装置２は、バッファ３５に格納されている符号ブロックグループＣＢＧ＃４のデータ信号および再送された符号ブロックグループＣＢＧ＃４からデータを再生する。一方、ＣＢＧ−Ｉが「０００１」であり、バッファ情報が「１」であるときは、端末装置２は、符号ブロックグループＣＢＧ＃４のデータ信号をバッファ３５から削除すると共に、再送された符号ブロックグループＣＢＧ＃４からデータを再生する。
【００８３】
また、上述の実施例では、基地局１は、端末装置２から受信するフィードバック信号を復号することによりＣＢＧ−Ｉを生成する。そして、ＣＢＧ−Ｉは、フィードバック信号の復号誤りを端末装置２において検出するための制御信号として使用される。ただし、フィードバック信号の復号誤りを検出するための制御信号は、上述したＣＢＧ−Ｉに限定されるものではない。
【００８４】
図１３は、フィードバック信号の復号誤りを検出するための制御信号の他の例を示す。この例では、ＣＢＧ−Ｉの代わりにＣＢＧ−ＮＤＩ（CBG-new data indicator）が基地局１から端末装置２に通知される。ＣＢＧ−ＮＤＩは、基地局１において復号されたフィードバック信号の各ビットの論理を反転させることにより生成される。また、ＣＢＧ−ＮＤＩの各ビットは、対応する符号ブロックグループＣＢＧが新たなデータであるか否かを表す。すなわち、「１」は、対応する符号ブロックグループＣＢＧにより新たなデータが送信される状態を表し、「ゼロ」は、対応する符号ブロックグループＣＢＧのデータが再送される状態を表す。そして、基地局１は、ＣＢＧ−ＮＤＩに従って符号ブロックグループＣＢＧの送信／再送を実行する。
【００８５】
端末装置２は、フィードバック信号およびＣＢＧ−ＮＤＩに基づいて、基地局１におけるフィードバック信号の復号誤りを検出することができる。ここで、ＣＢＧ−ＮＤＩは、基地局１において復号されたフィードバック信号の各ビットの論理を反転させることにより生成される。よって、端末装置２は、ＣＢＧ−ＮＤＩの各ビットの論理を反転させることにより得られる信号とフィードバック信号とを比較することにより、フィードバック信号の復号誤りを検出できる。
【００８６】
このように、図１３に示す方法であっても、端末装置２は、基地局１におけるフィードバック信号の復号誤りを検出できる。また、ＣＢＧ−ＮＤＩの各ビットがすべて「１」であるときは、基地局１は、新たなトランスポートブロックＴＢ送信する。したがって、ＣＢＧ−ＮＤＩは、トランスポートブロックＴＢが新たなデータを格納するか否かを表す情報としても使用され得る。
【００８７】
＜第２の実施形態＞
第２の実施形態では、端末装置２から基地局１に送信されるフィードバック信号の各ビットに誤り検出符号または誤り訂正符号が付加される。一例として、フィードバック信号の各ビットにＣＲＣが付加される。
【００８８】
図１４に示す例では、トランスポートブロックＴＢは、複数の符号ブロックグループＣＢＧ＃１〜ＣＢＧ＃Ｎを格納する。各符号ブロックグループＣＢＧは、ｍ個の符号ブロックＣＢから構成される。この場合、端末装置２は、トランスポートブロックＴＢを受信すると、符号ブロックグループＣＢＧ＃１〜ＣＢＧ＃Ｎに対応するフィードバック信号ＦＢ１〜ＦＢＮを生成する。フィードバック信号ＦＢ１〜ＦＢＮは、それぞれ、端末装置２により符号ブロックグループＣＢＧ＃１〜ＣＢＧ＃Ｎが正しく受信されたか否かを表す。
【００８９】
端末装置２は、図１３に示すように、フィードバック信号の各ビットＦＢ１〜ＦＢＮに対してそれぞれＣＲＣを付加する。なお、ＣＲＣは、図７に示すＣＲＣ付加部４１によりフィードバック信号の各ビットに付加される。そして、端末装置２は、ＣＲＣが付加されたフィードバック信号を基地局１に送信する。よって、基地局１は、フィードバック信号を復号する際に、ＣＲＣを利用して復号誤りを検出することができる。
【００９０】
このように、第２の実施形態では、端末装置２から基地局１に送信される各ＡＣＫ／ＮＡＣＫビットにＣＲＣが付加される。したがって、基地局１は、端末装置２が要求する符号ブロックグループＣＢＧを確実に認識できるので、再送回数を削減できる。
【００９１】
＜第３の実施形態＞
第３の実施形態では、端末装置２は、各符号ブロックグループＣＢＧがそれぞれ正しく受信されたか否かを表す情報に加えて、トランスポートブロックＴＢが正しく受信されたか否かを表す情報を基地局１に送信する。すなわち、フィードバック信号は、各符号ブロックグループＣＢＧに対するＡＣＫ／ＮＡＣＫビットおよびトランスポートブロックＴＢに対するＡＣＫ／ＮＡＣＫビットを含む。
【００９２】
図１５に示す例では、トランスポートブロックＴＢは、複数の符号ブロックグループＣＢＧ＃１〜ＣＢＧ＃Ｎを格納する。この場合、端末装置２は、トランスポートブロックＴＢを受信すると、符号ブロックグループＣＢＧ＃１〜ＣＢＧ＃Ｎに対応するＣＢＧフィードバック信号ＦＢ１〜ＦＢＮを生成する。ＣＢＧフィードバック信号ＦＢ１〜ＦＢＮは、それぞれ、端末装置２により符号ブロックグループＣＢＧ＃１〜ＣＢＧ＃Ｎがそれぞれ正しく受信されたか否かを表す。これに加えて、端末装置２は、トランスポートブロックＴＢに対応するＴＢフィードバック信号ＦＢ＿ＴＢを生成する。ＴＢフィードバック信号ＦＢ＿ＴＢは、端末装置２によりトランスポートブロックＴＢが正しく受信されたか否かを表す。そして、端末装置２は、ＣＢＧフィードバック信号ＦＢ１〜ＦＢＮおよびＴＢフィードバック信号ＦＢ＿ＴＢを基地局１に送信する。
【００９３】
なお、符号ブロックグループＣＢＧ＃１〜ＣＢＧ＃Ｎがすべて正しく受信されると、ＣＢＧフィードバック信号ＦＢ１〜ＦＢＮはすべて「ゼロ（ＡＣＫ）」であり、ＴＢフィードバック信号ＦＢ＿ＴＢも「ゼロ（ＡＣＫ）」である。一方、符号ブロックグループＣＢＧ＃１〜ＣＢＧ＃Ｎのうちの少なくとも１個が正しく受信されなかったときには、ＴＢフィードバック信号ＦＢ＿ＴＢは「１（ＮＡＣＫ）」である。
【００９４】
基地局１は、端末装置２から受信するＣＢＧフィードバック信号ＦＢ１〜ＦＢＮおよびＴＢフィードバック信号ＦＢ＿ＴＢを復号する。そして、基地局１は、それらの復号結果に整合性に基づいて、復号誤りを検出する。
【００９５】
例えば、端末装置２において符号ブロックグループＣＢＧ＃２が正しく受信されなかったときは、ＣＢＧフィードバック信号「０１００」およびＴＢフィードバック信号「１」が基地局１に通知される。すなわち、端末装置２は、基地局１に対して符号ブロックグループＣＢＧ＃２の再送を要求する。ここで、基地局１による復号結果が以下の通りであったものとする。
ＣＢＧフィードバック信号：０１００
ＴＢフィードバック信号：０
【００９６】
この場合、基地局１は、ＣＢＧフィードバック信号の第２ビットまたはＴＢフィードバック信号において復号誤りが発生したと判定する。そうすると、基地局１は、トランスポートブロックＴＢを端末装置２に再送する。  また、基地局１による復号結果が以下の通りであったものとする。
ＣＢＧフィードバック信号：００００
ＴＢフィードバック信号：１
【００９７】
この場合、基地局１は、ＣＢＧフィードバック信号のいずれかのビットまたはＴＢフィードバック信号において復号誤りが発生したと判定する。そうすると、基地局１は、トランスポートブロックＴＢを端末装置２に再送する。
【００９８】
このように、第３の実施形態では、フィードバック信号の復号誤りが基地局１において検出される。そして、基地局１は、フィードバック信号の復号誤りを検出すると、必要なデータを端末装置２に再送する。したがって、第３の実施形態によれば、基地局１と端末装置２との間で、データ再送に係わる信号の送信回数が削減されることがある。
【００９９】
＜第４の実施形態＞
トランスポートブロックＴＢに格納される符号ブロックＣＢの個数が符号ブロックグループの個数に対して少ないことがある。すなわち、アプリケーションまたは使用ケースによっては、トランスポートブロックＴＢに格納される符号ブロックグループＣＢＧの個数がＭであるときに、トランスポートブロックＴＢに格納される符号ブロックＣＢの個数がＮ（Ｎ＜Ｍ）であるときがある。
【０１００】
この場合、第４の実施形態では、符号ブロックグループＣＢＧの粒度を細かくする。一例としては、１個の符号ブロックグループＣＢＧに１個の符号ブロックＣＢが格納されるようにデータ構造が定義される。
【０１０１】
図１６（ａ）に示す例では、トランスポートブロックＴＢが４個の符号ブロックグループＣＢＧ＃１〜ＣＢＧ＃４を格納するように指定されている。そして、このトランスポートブロックＴＢを用いて２個の符号ブロックＣＢ１〜ＣＢ２が端末装置２に送信されるものとする。この場合、符号ブロックＣＢ１〜ＣＢ２がまとめて符号ブロックグループＣＢＧ＃１に格納されるのではなく、符号ブロックＣＢ１が符号ブロックグループＣＢＧ＃１に格納されると共に、符号ブロックＣＢ２が符号ブロックグループＣＢＧ＃２に格納される。すなわち、１個の符号ブロックグループＣＢＧに１個の符号ブロックＣＢが格納されるように再グループ化が行われる。
【０１０２】
端末装置２は、トランスポートブロックＴＢを受信すると、各符号ブロックグループＣＢＧに対してＡＣＫ／ＮＡＣＫビットを生成する。ＡＣＫ／ＮＡＣＫビットは、符号ブロックグループＣＢＧを正しく受信されたか否かを表す。このとき、端末装置２は、たとえば、符号ブロックＣＢが格納されている符号ブロックグループＣＢＧに対してＡＣＫ／ＮＡＣＫビットを生成する。図１６（ｂ）に示す例では、符号ブロックグループＣＢＧ＃１〜ＣＢＧ＃２に対してそれぞれＡＣＫ／ＮＡＣＫビットが生成されている。すなわち、２ビットのフィードバック信号が生成される。
【０１０３】
このフィードバック信号は、端末装置２から基地局１に送信される。そうすると、基地局１は、データを伝送する符号ブロックグループＣＢＧの実質的な個数を認識できる。すなわち、基地局１は、トランスポートブロックＴＢが４個の符号ブロックグループＣＢＧを格納するように指定されているが、そのうちの２個の符号ブロックグループＣＢＧのみにデータが格納されていることを認識する。
【０１０４】
但し、フィードバック信号のビット数が一定であることが好ましい場合には、符号ブロックグループＣＢＧの個数（即ち、Ｍ）と符号ブロックＣＢの個数（即ち、Ｎ）との差分に対応するパディングを用意してもよい。すなわち、フィードバック信号にＭ−Ｎビットのパディングが挿入される。図１６（ｃ）に示す例では、ＡＣＫ／ＮＡＣＫビットの後ろに２ビットのパディングが挿入されて４ビットのフィードバック信号が生成されている。
【０１０５】
このように、第４の実施形態では、符号ブロックグループＣＢＧの個数に対して符号ブロックＣＢの個数が少ないときには、符号ブロックグループＣＢＧの粒度を細かくする。したがって、データ再送のための資源（例えば、ＰＤＳＣＨ／ＰＵＳＣＨ）の使用効率が改善する。また、再送信された符号ブロックグループＣＢＧまたは符号ブロックＣＢの数が、初期に送信された符号ブロックグループＣＢＧまたは符号ブロックＣＢの数（あるいは、前に再送された符号ブロックグループＣＢＧまたは符号ブロックＣＢの数）よりも少ない再送信の場合にも、第４の実施形態を適用することができる。更に、再送信を意図した元の符号ブロックグループＣＢＧは、符号ブロックグループＣＢＧ毎に細かい粒度（要するに、符号ブロックグループＣＢＧ内の符号ブロックＣＢの数が少ない（例えば、１個の符号ブロックグループＣＢＧ内に１個の符号ブロックＣＢ））を有する符号ブロックグループＣＢＧに再グループ化することができる。
【符号の説明】
【０１０６】
１  基地局（ｅＮＢ）
２  端末装置（ＵＥ）
１１  データ信号生成部
１３  制御信号生成部
２０  データ信号復調器
２１  制御信号復調器
２２  スケジューラ
２３  ＨＡＲＱコントローラ
３４  データ信号復調器
３６  誤り検出部
３７  制御信号復調器
３８  スケジューラ
３９  データ信号生成部
４０  ＨＡＲＱコントローラ
４１  ＣＲＣ付加部
４２  制御信号生成部
【図１】
2018229948.tif 000003
【図２】
2018229948.tif 000004
【図３】
2018229948.tif 000005
【図４】
2018229948.tif 000006
【図５Ａ】
2018229948.tif 000007
【図５Ｂ】
2018229948.tif 000008
【図６】
2018229948.tif 000009
【図７】
2018229948.tif 000010
【図８】
2018229948.tif 000011
【図９】
2018229948.tif 000012
【図１０】
2018229948.tif 000013
【図１１】
2018229948.tif 000014
【図１２】
2018229948.tif 000015
【図１３】
2018229948.tif 000016
【図１４】
2018229948.tif 000017
【図１５】
2018229948.tif 000018
【図１６】
2018229948.tif 000019
【手続補正書】
【提出日】令和1年10月15日(2019.10.15)
【手続補正１】
【補正対象書類名】特許請求の範囲
【補正対象項目名】全文
【補正方法】変更
【補正の内容】
【特許請求の範囲】
【請求項１】
複数の符号ブロックグループを含むトランスポートブロックを送信する送信部と、
前記複数の符号ブロックグループの中の１以上の符号ブロックグループが正しく受信されなかったことを表す確認信号を受信する受信部と、を備え、
前記送信部は、制御信号を送信し、
前記制御信号は、第１の情報および第２の情報を含み、
前記第１の情報は、再送される１以上の符号ブロックグループを表し、
前記第２の情報は、再送されている前記１以上の符号ブロックグループが、受信された１以上の符号ブロックグループと結合可能であること、又は、再送されている前記１以上の符号ブロックグループに対応する、受信された前記１以上の符号ブロックグループが不要であること、を表す
ことを特徴とする基地局装置。
【請求項２】
前記送信部は、前記複数の符号ブロックグループの中の前記確認信号により指定される１以上の符号ブロックグループを再送する
ことを特徴とする請求項１に記載の基地局装置。
【請求項３】
再送されている前記１以上の符号ブロックグループは、受信された前記１以上の符号ブロックグループに対応する
ことを特徴とする請求項１に記載の基地局装置。
【請求項４】
前記制御信号は、下りリンク制御情報（ＤＣＩ）を表す
ことを特徴とする請求項１に記載の基地局装置。
【請求項５】
前記確認信号は、各符号ブロックグループに対するＡＣＫ／ＮＡＣＫビットを含む
ことを特徴とする請求項１に記載の基地局装置。
【請求項６】
前記制御信号は、前記基地局からデータを送信するＰＤＳＣＨ（Physical Downlink Shared Channel）を制御する下りリンク制御信号に含まれる
ことを特徴とする請求項４に記載の基地局装置。
【請求項７】
前記制御信号は、変調方式（ＭＣＳ）情報、リダンダンシバージョン（ＲＶ）情報、新規データ指標（ＮＤＩ）情報、およびハイブリッド自動再送要求（ＨＡＲＱ）情報を含む
ことを特徴とする請求項６に記載の基地局装置。
【請求項８】
前記リダンダンシバージョン情報は、ハイブリッド自動再送要求手順のリダンダンシバージョンを表し、前記新規データ指標情報は、スロット内の送信されているデータが新しいデータかを表す
ことを特徴とする請求項７に記載の基地局装置。
【請求項９】
前記受信部は、前記トランスポートブロックが正しく受信されたかを表す確認信号をさらに受信し、
前記送信部は、前記確認信号に応じて、対応するトランスポートブロックを再送する
ことを特徴とする請求項１に記載の基地局装置。
【請求項１０】
複数の符号ブロックグループを含むトランスポートブロックおよび制御信号を受信する受信部と、
各符号ブロックグループが前記受信部により正しく受信されたかを表す確認信号を送信する送信部と、を備え、
前記制御信号は、第１の情報および第２の情報を含み、
前記第１の情報は、再送される１以上の符号ブロックグループを表し、
前記第２の情報は、再送されている前記１以上の符号ブロックグループが、受信された１以上の符号ブロックグループと結合可能であること、又は、再送されている前記１以上の符号ブロックグループに対応する、受信された前記１以上の符号ブロックグループが不要であること、を表す
ことを特徴とする端末装置。
【請求項１１】
前記受信部は、前記複数の符号ブロックグループの中の前記確認信号により指定される１以上の符号ブロックグループを受信する
ことを特徴とする請求項１０に記載の端末装置。
【請求項１２】
再送されている前記１以上の符号ブロックグループは、受信された前記１以上の符号ブロックグループに対応する
ことを特徴とする請求項１０に記載の端末装置。
【請求項１３】
前記制御信号は、下りリンク制御情報（ＤＣＩ）を表す
ことを特徴とする請求項１０に記載の端末装置。
【請求項１４】
前記確認信号は、各符号ブロックグループに１対１に対応する、ハイブリッド自動再送要求（ＨＡＲＱ）−ＡＣＫビットを含む
ことを特徴とする請求項１０に記載の端末装置。
【請求項１５】
前記制御信号は、前記基地局からデータを送信するＰＤＳＣＨ（Physical Downlink Shared Channel）を制御する下りリンク制御信号に含まれる
ことを特徴とする請求項１３に記載の端末装置。
【請求項１６】
前記制御信号は、変調方式（ＭＣＳ）情報、リダンダンシバージョン（ＲＶ）情報、新規データ指標（ＮＤＩ）情報、およびハイブリッド自動再送要求（ＨＡＲＱ）情報を含む
ことを特徴とする請求項１５に記載の端末装置。
【請求項１７】
前記リダンダンシバージョン情報は、ハイブリッド自動再送要求手順のリダンダンシバージョンを表し、前記新規データ指標情報は、スロット内の送信されているデータが新しいデータかを表す
ことを特徴とする請求項１６に記載の端末装置。
【請求項１８】
前記受信部は、前記確認信号に応じて、対応するトランスポートブロックを受信する
ことを特徴とする請求項１０に記載の端末装置。
【国際調査報告】
2018229948.tif 000020
2018229948.tif 000021
2018229948.tif 000022
2018229948.tif 000023